(57)【要約】【課題】従来の角度自在型ドレンキャップよりも雨水に随伴される落ち葉等によって閉塞し難い角度自在型ドレンキャップを提供する。【解決手段】角度自在型ドレンキャップ１は、床２１と壁２２の境界部に配設されたドレン２３の口を通水可能に覆うために床２１と壁２２とのなす角度θに調整される一対のキャップ構成部材２Ａ，２Ｂを備えている。一対のキャップ構成部材２Ａ，２Ｂは、その連結辺に沿って互いに回動自在にピン３によって連結され、側辺からドレン側へ延びてドレン２３の側方を通水可能に覆う側部通水スリット１７を構成する通水スリット構成柱１３，１４，１５，１６を有する。【選択図】図４
2015067943.tif 000002
【特許請求の範囲】
【請求項１】
床と壁の境界部に配設されたドレンの口を通水可能に覆うために床と壁とのなす角度に調整される一対のキャップ構成部材を備えた角度自在型ドレンキャップであって、
前記一対のキャップ構成部材は、その一端部に沿って互いに回動自在に連結する連結手段によって連結され、他の端部からドレン側へ延びてドレンの側方を通水可能に覆う側部通水スリットを構成する複数の通水スリット構成柱を有したことを特徴とする角度自在型ドレンキャップ。
【請求項２】
前記一対のキャップ構成部材は、一端部からドレン側へ湾曲して延びるカール部を有し、
前記連結手段は、前記カール部で前記一対のキャップ構成部材を連結し、
前記複数の通水スリット構成柱のうちの一つは、前記カール部から延びていることを特徴とする請求項１に記載の角度自在型ドレンキャップ。
【請求項３】
前記一対のキャップ構成部材は、同一金型で成形されることを特徴とする請求項１又は２に記載の角度自在型ドレンキャップ。
【発明の詳細な説明】
【技術分野】
【０００１】
本発明は、横引きドレンに用いる角度自在型ドレンキャップに関する。
【背景技術】
【０００２】
ビルやマンション等の建築物の屋上や各階のベランダに設けられている排水口には、雨水を排水するためのドレンが使用されている。一般的には、床面を貫通して下方向きに雨水を排出する縦引きドレンが設置されている。
【０００３】
しかし、床面の直下に部屋があるような場合は、縦引きドレンを設置することが困難である。このため、このような場合には、立壁を貫通して横向きに雨水を排出する横引きドレンを設置する必要がある。
【０００４】
この横引きドレンは、建築物の施工時に予め規格統一されたドレンキャップが設置されるのが一般的である。このため、長期間の使用によりドレンキャップが腐食して破損した場合や、いたずら等によりドレンキャップのみが消失したような場合、改修時に同じドレンキャップを入手することが困難であった。
【０００５】
そこで、特許文献１に開示される従来のドレンキャップは、雨水を導入する為の複数条のスリットが形成された横向きカバー部と縦向きカバー部とを蝶番状に枢着し、両カバー部をそれぞれ傾動できるようにした角度自在型ドレンキャップを提案している。
【先行技術文献】
【特許文献】
【０００６】
【特許文献１】特開平９−２７９７８０号公報
【発明の概要】
【発明が解決しようとする課題】
【０００７】
しかしながら、従来のドレンキャップは、横引きドレンを横向きカバー部と縦向きカバー部の二面で覆う構成となっている。このため、横向きカバー部と縦向きカバー部の面が雨水に随伴される落ち葉、小枝、紙、又は、ビニール等（以下、落ち葉等と称する）により覆われてしまうと、閉塞されて雨水が横引きドレンから排水できなくなるおそれがあった。
【０００８】
そこで、本発明は、従来の角度自在型ドレンキャップよりも雨水に随伴される落ち葉等によって閉塞し難い角度自在型ドレンキャップを提供することを目的とする。
【課題を解決するための手段】
【０００９】
本発明は、床と壁の境界部に配設されたドレンの口を通水可能に覆うために床と壁とのなす角度に調整される一対のキャップ構成部材を備えた角度自在型ドレンキャップに関する。前記一対のキャップ構成部材は、その一端部に沿って互いに回動自在に連結する連結手段によって連結され、他の端部からドレン側へ延びてドレンの側方を通水可能に覆う側部通水スリットを構成する複数の通水スリット構成柱を有したことを特徴としている。
【００１０】
前記一対のキャップ構成部材は、一端部からドレン側へ湾曲して延びるカール部を有し、前記連結手段は、前記カール部で前記一対のキャップ構成部材を連結し、前記複数の通水スリット構成柱のうちの一つは、前記カール部から延びていることが好ましい。
【００１１】
前記一対のキャップ構成部材は、同一金型で成形されることが好ましい。
【発明の効果】
【００１２】
本発明の角度自在型ドレンキャップによれば、従来の角度自在型ドレンキャップよりも雨水に随伴される落ち葉等によって閉塞し難いという効果を奏する。
【図面の簡単な説明】
【００１３】
【図１】角度自在型ドレンキャップを右斜め上方から視た斜視図である。
【図２】角度自在型ドレンキャップの側面図である。
【図３】角度自在型ドレンキャップの角度調整例を示す側面図である。
【図４】角度自在型ドレンキャップが排水口に取り付けられた様子を示す側面図である。
【発明を実施するための形態】
【００１４】
以下、本発明を実施するための形態の例（以下、実施例と称する）を図１〜図４を参照しながら説明する。図１は、角度自在型ドレンキャップ１を右斜め上方から視た斜視図である。図２は、角度自在型ドレンキャップ１の側面図である。
【００１５】
角度自在型ドレンキャップ１は、一対のキャップ構成部材２Ａ，２Ｂと、この一対のキャップ構成部材２Ａ，２Ｂを一端部に沿って互いに回動自在に連結するピン３（連結手段）と、角度自在取り付け金具４（角度自在取り付け部材）と、板ばね部材５と、を備えている。
【００１６】
一対のキャップ構成部材２Ａ，２Ｂは、同一金型を用いたアルミダイカスト成型によって成形され同一形状となっている。キャップ構成部材２Ａ（２Ｂ）は、略矩形状の主通水面６を有している。略矩形状を構成する四辺のうち一辺は、もう片方のキャップ構成部材２Ｂ（２Ａ）と連結される側の辺となる。以下、連結される側の辺を連結辺（一端部）６ａと呼ぶ。
【００１７】
主通水面６は、幅方向に沿って二つの開口７が形成されている。その開口７は、斜めに、且つ、等間隔に八本のリブ８が形成され、通水可能なスリットとなる。また、二つの開口７の間には、奥行方向に沿ってスライド長穴１０が形成されている。ここで、奥行方向とは、主通水面６の面上で幅方向に直交する方向をいう。
【００１８】
開口７に形成されるリブ８は、左側の開口７に形成されるリブ８が幅方向の左側から中央側へ向かって奥行方向の手前から奥へ向かって斜めに延び、右側の開口７に形成されるリブ８が幅方向の右側から中央側へ向かって奥行方向の手前から奥へ向かって斜めに延びるように形成され、全体として杉葉模様の美観を看者に与える。
【００１９】
また、八本のリブ８は、主通水面６からの高さが高いリブ８ａと低いリブ８ｂが交互に形成されている。これによって、雨水に随伴される落ち葉等によって、主通水面６が覆われたとしても水が流れる隙間が確保され、閉塞し難くなっている。
【００２０】
主通水面６の略矩形状を構成する四辺のうち連結辺６ａからは、主通水面６に直交する方向（ドレン側）へ湾曲するカール部１１が幅方向の右端から左側に渡って八個形成されている。八個のカール部１１のうち両端のカール部１１は、幅方向に貫通する貫通孔１２が形成されている。すなわち、貫通孔１２は、主通水面６から離れた位置に形成されている。
【００２１】
主通水面６の略矩形状を構成する四辺のうち連結辺６ａと直交する辺６ｂ（以下、側辺と呼ぶ）は、主通水面６に直交する方向（ドレン側）へ延びる四本の通水スリット構成柱（複数の通水スリット構成柱）１３，１４，１５，１６が形成されている。四本の通水スリット構成柱１３，１４，１５，１６は、キャップ構成部材２Ａ（２Ｂ）の側部通水スリット１７を構成し、ドレンの口を側方から囲む部分となる。
【００２２】
ここで、四本の通水スリット構成柱１３，１４，１５，１６は、奥行方向の手前から奥へ向かって第一の通水スリット構成柱１３、第二の通水スリット構成柱１４、第三の通水スリット構成柱１５、第四の通水スリット構成柱１６と呼ぶ。
【００２３】
この四本の通水スリット構成柱１３，１４，１５，１６は、奥行方向の手前から奥へ向かって等間隔に形成されている。そして、第一の通水スリット構成柱１３、第二の通水スリット構成柱１４、第三の通水スリット構成柱１５は、奥行方向の手前から奥に向かうに従って主通水面６から先端までの距離が段々と遠くなるよう、すなわち長さが長くなるように形成されている。また、第四の通水スリット構成柱１６は、主通水面６から先端までの距離が第三の通水スリット構成柱１５のその距離とほぼ同じ長さになっている。
【００２４】
ここで、四本の通水スリット構成柱１３，１４，１５，１６のうち第四の通水スリット構成柱１６は、連結辺６ａに形成された八個のカール部１１のうちの端のカール部１１から延びている。この第四の通水スリット構成柱１６は、先端を側面視すると円弧になっている。
【００２５】
これに対し、第一の通水スリット構成柱１３、第二の通水スリット構成柱１４、第三の通水スリット構成柱１５は、側辺（他の端部）６ｂから延びている。この三本の通水スリット構成柱１３，１４，１５は、角度自在型ドレンキャップ１を載置面に載置した際に揃って面接触するように先端の一部が切断されている。
【００２６】
主通水面６の略矩形状を構成する四辺のうち連結辺６ａと対向する辺６ｃは、高さ方向に延び幅方向に沿って連続する半円アーチの壁面１８が形成されている。キャップ構成部材２Ａ（２Ｂ）は、この連続する半円アーチの壁面１８と、四本の通水スリット構成柱１３，１４，１５，１６によって形成される側部通水スリット１７と、主通水面６と、によってドレンの口を覆うようになっている。
【００２７】
一対のキャップ構成部材２Ａ，２Ｂは、連結辺６ａのカール部１１を互い違いに組み合わせ、端のカール部１１すなわち、主通水面６から離れて形成された貫通孔１２にピン３が配されることによって、連結辺６ａ（一端部）に沿って互いに回動自在に連結される。ここで、ピン３は、例えば、弾性のある板を円筒状に丸め、径方向にばね作用を生じるようにしたスプリングピンである。
【００２８】
また、一対のキャップ構成部材２Ａ，２Ｂは、互いに組み合わされると、主通水面６から離れたカール部１１のピン３によって回動自在に連結される。また、第四の通水スリット構成柱１６は、連結されたカール部１１から延びている。従って、一対のキャップ構成部材２Ａ，２Ｂは、第四の通水スリット構成柱１６，１６が互いにピン３の回動軸方向に沿って重なっている。ここで、回動軸方向は、幅方向に一致する。
【００２９】
回動自在に連結された一対のキャップ構成部材２Ａ，２Ｂは、床と壁の境界部に配置されたドレンの口を通水可能に覆うために床と壁とのなす角度に調整されて配置される。ピン３は、スプリングピンであり、調整された一対のキャップ構成部材２Ａ，２Ｂをその状態で保持する。ここで、回動自在に連結された一対のキャップ構成部材２Ａ，２Ｂのうち、床側に配されるキャップ構成部材を床側キャップ構成部材２Ａと呼び、壁側に配されるキャップ構成部材を壁側キャップ構成部材２Ｂと呼ぶ。
【００３０】
角度自在取り付け金具４は、一方側がキャップ構成部材２Ａ（２Ｂ）のスライド長穴１０に対してスライド移動可能に取り付けられ、他方側に板ばね部材５が固定される。この角度自在取り付け金具４は、主通水面６の裏面で板ばね部材５の取り付け角度を調整することができる。
【００３１】
板ばね部材５は、例えば、ステンレス鋼で形成された板ばねである。この板ばね部材５は、ドレンに取り付けられる際に、撓められた状態でドレン内部に挿入される。その後、板ばね部材５は、自身の弾性力によって復元し、ドレンの内部壁に当接して回動自在に連結された一対のキャップ構成部材２Ａ，２Ｂをドレンの口に固定する。
【００３２】
図２〜図４を参照して、角度自在型ドレンキャップ１を調整し、すなわち、回動自在に連結された一対のキャップ構成部材２Ａ，２Ｂを、設置する床２１と壁２２とのなす角度θに調整して、ドレン２３に固定する様子を説明する。
【００３３】
図３は、角度自在型ドレンキャップ１の角度調整例を示す側面図である。図４は、角度自在型ドレンキャップ１がドレン２３に取り付けられた様子を示す側面図である。図４において、床２１と壁２２の境界部に配設されたドレン２３は、排水管２４に接続されている。また、ドレン２３と排水管２４は、断面を示している。
【００３４】
角度自在型ドレンキャップ１は、ピン３を回動軸として回動自在になっている。例えば、床２１と壁２２とのなす角度θが直角である場合、角度自在型ドレンキャップ１は、図２に示すように調整される。
【００３５】
また、床２１と壁２２とのなす角度θが鋭角である場合、角度自在型ドレンキャップ１は、図３で示すように、壁側キャップ構成部材２Ｂが手前側に倒されて、床２１と壁２２に適合するように調整される。
【００３６】
また、床２１と壁２２のなす角度θが図４で示すような鈍角である場合、角度自在型ドレンキャップ１は、床２１と壁２２に適合するように図４で示すように調整されるとともに、板ばね部材５が撓められてドレン２３の内部に挿入され、その後、板ばね部材５が復元しドレン２３の内部壁に当接する。
【００３７】
本発明の角度自在型ドレンキャップ１によれば、側辺６ｂから主通水面６に直交する方向（ドレン側）へ延びる四本の通水スリット構成柱１３，１４，１５，１６が形成されて側部通水スリット１７を構成する。この側部通水スリット１７は、ドレン２３の側方に位置する。
【００３８】
この構成によって、角度自在型ドレンキャップ１は、例え、主通水面６が落ち葉等によって覆われたとしても、側部通水スリット１７から排水できるため、全体として雨水に随伴される落ち葉等によって閉塞し難くなっている。
【００３９】
また、本発明の角度自在型ドレンキャップ１によれば、床側キャップ構成部材２Ａと壁側キャップ構成部材２Ｂとが、主通水面６から離れた端のカール部１１に配されたピン３によって回動自在に連結され、且つ、第四の通水スリット構成柱１６が端のカール部１１から延びている。すなわち、床側キャップ構成部材２Ａと壁側キャップ構成部材２Ｂの第四の通水スリット構成柱１６が互いに幅方向（回動軸方向）に対して重なるように配置されている。
【００４０】
この構成によって、角度自在型ドレンキャップ１は、図３のように調整した場合、幅方向の内側に配された第四の通水スリット構成柱１６Ｂが幅方向の外側に配された第四の通水スリット構成柱１６から現れ、床側キャップ構成部材２Ａに対して壁側キャップ構成部材２Ｂを傾けた際に発生する側面の隙間を小さくし、雨水に随伴される落ち葉等がドレン２３の内部へ流れることを防ぐことができる。
【００４１】
また、角度自在型ドレンキャップ１は、端のカール部１１すなわち、主通水面６から離れて形成された貫通孔１２に配されたピン３によって回動自在に連結され、且つ、第四の通水スリット構成柱１６の先端から主通水面６までの長さが第三の通水スリット構成柱１５の長さとほぼ同じ長さになっている。
【００４２】
この構成によって、角度自在型ドレンキャップ１は、図２、図３、図４のどの姿勢においても、床２１と壁２２の境界部分に配される部分の形状が円弧状になる。よって、床２１と壁２２の境界が直角でなく滑らかな曲線を描く場合であっても配置することができる。
【００４３】
また、角度自在型ドレンキャップ１は、一対のキャップ構成部材２Ａ，２Ｂが同一金型でアルミダイカスト成型される。これによって、コストを下げることができる。
【００４４】
なお、本発明の角度自在型ドレンキャップは、上述の実施例にのみ限定されるものではなく、本発明の要旨を逸脱しない範囲内において種々変更を加えることができる。
【符号の説明】
【００４５】
１  角度自在型ドレンキャップ
２Ａ  床側キャップ構成部材
２Ｂ  壁側キャップ構成部材
３  ピン（連結手段）
６ａ  連結辺（一端部）
６ｂ  側辺（他の端部）
１１  カール部
１３  第一の通水スリット構成柱
１４  第二の通水スリット構成柱
１５  第三の通水スリット構成柱
１６  第四の通水スリット構成柱
１７  側部通水スリット
２１  床
２２  壁
２３  ドレン
【図１】
2015067943.tif 000003
【図２】
2015067943.tif 000004
【図３】
2015067943.tif 000005
【図４】
2015067943.tif 000006